(57)【特許請求の範囲】
【請求項１】
外装ケース(1)と、この外装ケース(1)に内蔵している充電できる電池(4)と、この電池(4)を充電する太陽電池(2)と、前記電池(4)で点灯される光源(3)とを備える携帯式の照明であって、
前記外装ケース(1)が、前記太陽電池(2)と前記光源(3)とを収納してなる板状部(5)と、この板状部(5)の下縁に沿って設けられ、かつ前記板状部(5)よりも厚くて前記板状部(5)の表面側に突出して前記板状部(5)を自立させる自立面(7)を底面に有する電池収納部(6)とを備え、
前記板状部(5)に収納してなる回路基板(10)を備え、この回路基板(10)は第１の表面(11)に前記太陽電池(2)を構成するソーラーセル(20)を、前記第１の表面(11)の反対側に位置する第２の表面(12)に前記光源(3)を配置して、前記第１の表面(11)と前記第２の表面(12)とを透光性フィルム層(8)で防水構造にラミネートして前記外装ケース(1)に収納し、
前記透光性フィルム層(8)が、前記回路基板(10)の外周部に沿う露出部(13)を設けて表面をラミネートしており、この露出部(13)が前記外装ケース(1)に挟着されて前記回路基板(10)を前記外装ケース(1)の定位置に配置してなることを特徴とする携帯式の照明。
【請求項２】
前記板状部(5)を自立させる前記自立面(7)が、前記太陽電池(2)を設けている表面を水平面に対して直角よりも大きくして、前記光源(3)を設けている面を直角よりも小さくするように前記板状部(5)を自立させるようにしてなる請求項１に記載される携帯式の照明。
【請求項３】
前記透光性フィルム層(8)が、その外周の一部に、前記回路基板(10)の外周縁まで伸びる逃げ部(8X)を設けてなる請求項１に記載される携帯式の照明。
【請求項４】
前記透光性フィルム層(8)がＥＶＡである請求項１ないし３のいずれかに記載される携帯式の照明。
【請求項５】
前記回路基板(10)の前記第２の表面(12)に、前記光源(3)のＬＥＤ(3A)と電子部品(36)とが実装されて、前記ＬＥＤ(3A)と前記電子部品(36)とが前記透光性フィルム層(8)で防水構造にラミネートされている請求項１ないし４のいずれかに記載される携帯式の照明。
【発明の詳細な説明】
【技術分野】
【０００１】
本発明は、内蔵する電池を太陽電池で充電して光源を点灯する携帯式の照明に関する。
【背景技術】
【０００２】
太陽電池で内蔵する電池を充電して光源を点灯する照明は、自然のエネルギーを有効に利用して点灯できる。また、地震や台風などの災害で電力が供給されなくなった状態で、あるいはレジャーなどで便利に使用できる特徴がある。この用途に使用できる携帯式の照明は開発されている。（特許文献１参照）
【先行技術文献】
【特許文献】
【０００３】
【特許文献１】特開２０１０−５５７８９号公報
【発明の概要】
【発明が解決しようとする課題】
【０００４】
特許文献１に記載される携帯式の照明は、図１に示すように、外装ケース９１に、充電できる電池９４と、この電池９４を充電する太陽電池パネル９２と、電池９４で点灯される光源９３Ａとを内蔵している。外装ケース９１は、全体の形状を板状として、一方の表面には太陽電池パネル９２を、他の表面には板状の光源パネル９３を配置して、太陽電池パネル９２と光源パネル９３からなる２枚のパネルを平行な姿勢で積層して収納している。さらに、この携帯式の照明は、外装ケース９１の外周部に電池９４を内蔵して、この部分をグリップ９５として携帯できる構造としている。
【０００５】
図１の携帯式の照明は、太陽電池の面積を大きくして発電電力を大きくして、電池の充電時間を短くしながら、電池のグリップを握って便利に持ち運びできる。しかしながら、太陽電池で電池を充電し、また照明として使用するときに便利に使用できない欠点がある。それは、安定に自立できないので、太陽電池で電池を充電するときに自立させるのに手間がかかり、また照明として自立させるのにも手間がかかるからである。また、両面を挟んで自立させると、挟むものが太陽電池の実効面積を狭くし、あるいは光源の照射面積を小さくして明るく照射できない欠点がある。
【０００６】
本発明は、さらにこの欠点を解決することを目的に開発されたものである。本発明の重要な目的は、安定に自立させることで、太陽電池の面積を大きくして発電電力を大きくし、また光源の照射面積を大きくして明るく照射できる携帯式の照明を提供することにある。
また、本発明の他の大切な目的は、太陽電池と光源の面積を広くしながら、安定に自立できる携帯式の照明を提供することにある。
【課題を解決するための手段及び発明の効果】
【０００７】
本発明の携帯式の照明は、外装ケース１と、この外装ケース１に内蔵している充電できる電池４と、この電池４を充電する太陽電池２と、電池４で点灯される光源３とを備えている。携帯式の照明は、外装ケース１が、太陽電池２と光源３とを収納してなる板状部５と、この板状部５の下縁に沿って設けられ、かつ板状部５よりも厚くて板状部５の表面側に突出して板状部５を自立させる自立面７を底面に有する電池収納部６とを備え、板状部５に収納してなる回路基板１０を備え、この回路基板１０が、第１の表面１１に太陽電池２を構成するソーラーセル２０を、第１の表面１１の反対側に位置する第２の表面１２に光源３を配置して、第１の表面１１と第２の表面１２とを透光性フィルム層８で防水構造にラミネートして外装ケース１に収納し、透光性フィルム層８が、回路基板１０の外周部に沿う露出部１３を設けて表面をラミネートして、この露出部１３を外装ケース１に挟着して回路基板１０を外装ケース１の定位置に配置している。
【０００８】
以上の携帯式の照明は、安定に自立させることで、太陽電池の面積を大きくして発電電力を大きくし、また光源の照射面積を大きくして明るく照射できる特徴がある。また、以上の携帯式の照明は、重い電池で重心を低くし、さらに板状部の表面に突出させる自立面でもって、太陽電池と光源の面積を広くしながら、安定に自立できる特徴も実現する。
そして、太陽電池と光源を一枚の回路基板に実装して板状部を薄くしながら、その両面を透光性フィルム層で防水構造にラミネートすることで、太陽電池と光源の両方を確実な防水構造にできる。このため、外装ケースを完全な防水構造とすることなく、太陽電池や光源を理想的な防水構造にできる。
さらに、以上の携帯式の照明は、回路基板を外装ケースの定位置に確実に配置できる。それは、透光性フィルム層を設けない露出部を外装ケースで挟着して定位置に配置するからである。両面を透光性フィルム層でラミネートしてなる回路基板は、透光性フィルム層によって理想的な状態で防水構造とされるが、透光性フィルム層は膜厚に誤差があるので、外装ケースの定位置に正確に固定するのが難しい。以上の携帯式の照明は、回路基板の外周に透光性フィルム層でラミネートされない露出部を設けて、ここを外装ケースで挟着して定位置に配置する。また、回路基板は、外周を除く領域を透光性フィルム層でラミネートするので、そのほぼ全体を理想的な防水構造にできる。
【０００９】
本発明の携帯式の照明は、板状部５を自立させる自立面７が、太陽電池２を設けている表面を水平面に対して直角よりも大きくし、光源３を設けている面を直角よりも小さくするように板状部５を自立させることができる。
以上の携帯式の照明は、太陽電池の出力を大きくして効率よく電池を充電し、また、光源で明るく照射できる特徴がある。それは、太陽電池を上向きに配置して、光源を下向きに配置するからである。
【００１２】
本発明の携帯式の照明は、透光性フィルム層８が、その外周の一部に、回路基板１０の外周縁まで伸びる逃げ部８Ｘを設けることができる。
以上の携帯式の照明は、透光性フィルム層でもって、回路基板の表面を理想的な防水構造にラミネートできる。それは、回路基板の両面に透光性フィルム層を積層し、これを溶融して回路基板の表面に密着させるラミネート工程で、溶融された透光性フィルム層を逃げ部から外部に流出させながらラミネートできるからである。
【００１３】
本発明の携帯式の照明は、透光性フィルム層８をＥＶＡとすることができる。
以上の携帯式の照明は、太陽電池の発電効率を高く、かつ光源で明るく照射しながら、回路基板の表面を好ましい防水構造にできる特徴がある。それは、透光性フィルム層のＥＶＡが優れた光線透過率を有し、かつ溶融して回路基板の表面に密着して防水構造とするからである。
【００１４】
本発明の携帯式の照明は、回路基板１０の第２の表面１２に、光源３のＬＥＤ３Ａと電子部品３６とを実装して、ＬＥＤ３Ａと電子部品３６とを透光性フィルム層８で防水構造にラミネートすることができる。
以上の携帯式の照明は、透光性フィルム層でもって回路基板の表面に実装しているＬＥＤと電子部品の両方を理想的な防水構造にできる特徴がある。
【図面の簡単な説明】
【００１５】
【図１】従来の携帯式の照明の断面図である。
【図２】本発明の一実施例にかかる携帯式の照明の斜視図である。
【図３】図１に示す携帯式の照明の背面斜視図である。
【図４】図１に示す携帯式の照明の分解斜視図である。
【図５】図２に示す携帯式の照明の分解斜視図である。
【図６】図２に示す携帯式の照明の垂直横断面図である。
【図７】図６に示す携帯式の照明のＶＩＩ−ＶＩＩ線断面図である。
【図８】図２に示す携帯式の照明の側面図である。
【図９】本発明の一実施例にかかる携帯式の照明の他の使用状態を示す側面図である。
【図１０】回路基板の透光性フィルム層を示す分解斜視図である。
【図１１】図１０に示す回路基板と透光性フィルム層の背面斜視図である。
【図１２】回路基板に設けた透光性フィルム層を示す正面図である。
【図１３】図１２に示す回路基板と透光性フィルム層の背面図である。
【図１４】回路基板に透光性フィルム層をラミネートする工程を示す概略断面図であって、図１６のＸＩＶ−ＸＩＶ線断面に相当する図である。
【図１５】回路基板に透光性フィルム層をラミネートする工程を示す概略断面図であって、図１６のＸＶ−ＸＶ線断面に相当する図である。
【図１６】回路基板に透光性フィルム層をラミネートする工程を示す水平断面図であって、図１４のＸＶＩ−ＸＶＩ線断面に相当する図である。
【図１７】回路基板に透光性フィルム層をラミネートする工程を示す水平断面図であって、図１４のＸＶＩＩ−ＸＶＩＩ線断面に相当する図である。
【図１８】透光板の一例を示す拡大斜視図である。
【図１９】本発明の一実施例にかかる携帯式の照明のブロック回路図である。
【発明を実施するための形態】
【００１６】
以下、本発明の実施例を図面に基づいて説明する。ただし、以下に示す実施例は、本発明の技術思想を具体化するための携帯式の照明を例示するものであって、本発明は携帯式の照明を以下のものに特定しない。さらに、この明細書は、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施例の部材に特定するものでは決してない。
【００１７】
図２ないし図９に示す携帯式の照明は、外装ケース１と、この外装ケース１に内蔵している充電できる電池４と、この電池４を充電する太陽電池２と、電池４で点灯される光源３とを備えている。
【００１８】
外装ケース１は、図４ないし図７に示すように、第１ケース１Ａと第２ケース１Ｂとからなり、第１ケース１Ａと第２ケース１Ｂの内部に、太陽電池２と光源３を配設している。外装ケース１はプラスチック製で、厚さ方向に分割するように、第１ケース１Ａと第２ケース１Ｂに分割している。第１ケース１Ａと第２ケース１Ｂは、対向する外周縁を互いに連結して内部を閉鎖する形状としている。図の外装ケース１は、第２ケース１Ｂの外周に沿って設けた周壁１７を第１ケース１Ａの外周縁に連結して、第１ケース１Ａと第２ケース１Ｂとを連結している。さらに、第１ケース１Ａと第２ケース１Ｂは、対向する内面に突出して設けている連結筒１８に、連結ロッド１９の両端部を挿入して固定し、この連結ロッド１９を介して連結される。第１ケース１Ａと第２ケース１Ｂは、連結ロッド１９の両端部を連結筒１８に接着して、外れないように連結される。ただ、第１ケースと第２ケースは、一方を貫通する止ネジを他方に設けたボスにねじ込んで固定することも、係止構造で連結することもできる。図の外装ケース１は、全体の形状を長方形としている。
【００１９】
外装ケース１は、太陽電池２と光源３とを収納してなる板状部５と、この板状部５の下縁に沿って設けられて、板状部５よりも厚く、板状部５の表面側に突出する電池収納部６とを備えている。この外装ケース１は、太陽電池２と光源３を配置する板状部５の下縁に沿って、電池４を収納する電池収納部６を設けている。図の外装ケース１は、対向する第１ケース１Ａと第２ケース１Ｂとを互いに連結して、板状部５と電池収納部６とを設けている。第１ケース１Ａは、全体形状を四角形の板状とすると共に、太陽電池２を表出させる開口窓１ａを開口して設けている。第２ケース１Ｂは、全体形状を四角形として、光源３をの光を放射する開口窓１ｂを開口して設けると共に、四角形の下端に沿うように背面側に突出する幅広部１ｃを設けている。この外装ケース１は、第１ケース１Ａの開口窓１ａの下方を除く外周縁部と第２ケース１Ｂの開口窓１ｂの下方を除く外周縁部とを互いに連結して板状部５を形成し、第１ケース１Ａの下端部の外周縁と第２ケース１Ｂの幅広部１ｃの外周縁とを互いに連結して電池収納部６を形成している。
【００２０】
板状部５は、太陽電池２と光源３とを内部に収納している。板状部５は、第１ケース１Ａの開口窓１ａに太陽電池２を配置し、第２ケース１Ｂの開口窓１ｂに光源３を配置している。図に示す第１ケース１Ａの開口窓１ａは、長方形の上部の両側を斜めにカットしてなる六角形状として、この開口窓１ａに沿う形状の太陽電池２を表出するように配置している。第２ケース１Ｂの開口窓１ｂは、長方形として、この開口窓１ｂの中央部に位置して光源３を内蔵している。板状部５は、内部の定位置に回路基板１０を収納して固定している。回路基板１０はプリント基板で、外装ケース１の板状部５の内形にほぼ等しい外形に成形している。回路基板１０は、第１ケース１Ａ側である第１の表面１１に太陽電池２を設けて、第１の表面１１の反対側に位置する第２の表面１２に光源３を設けている。
【００２１】
太陽電池２は、回路基板１０の第１の表面１１に固定してなる複数のソーラーセル２０で構成される。太陽電池２は、第１ケース１Ａの開口窓１ａから入射する太陽光のエネルギーで発電し、内蔵される電池４を充電する。太陽電池２は、面積を大きくして大容量の電池４を速やかに充電できる。四角形の外装ケース１は、一辺の長さを１５ｃｍないし２５ｃｍとして、定格出力を２Ｗ〜３Ｗとする太陽電池２を装備できる。
【００２２】
光源３は、回路基板１０の第２の表面１２に固定してなるＬＥＤ３Ａを備える。図の光源３は、複数の白色のＬＥＤ３Ａを回路基板１０に実装している。図の光源３は、３個のチップタイプのＬＥＤ３Ａを、開口窓１ｂの中央部に位置して等間隔で横に並べて固定している。ただ、光源は、複数のＬＥＤを縦横に並べて固定することもできる。チップタイプのＬＥＤ３Ａは、光を集束することなく広い角度で均一に光を照射する。光源３をＬＥＤ３Ａとする照明は、電池４の消費電力を小さくして明るく、長い時間にわたって照射できる。たとえば、３個のＬＥＤ３Ａを点灯する状態で、後述する電池４を内蔵して、約１６時間点灯でき、また、点灯するＬＥＤ３Ａを１個に切り換えて約４５時間点灯できる。さらに、回路基板１０の第２の表面１２には、ＬＥＤ３Ａに加えて、複数の電子部品３６も実装している。
【００２３】
回路基板１０は、図６、図７、及び図１０ないし図１３に示すように、ソーラーセル２０が配置された第１の表面１１と、光源３であるＬＥＤ３Ａと電子部品３６が配置された第２の表面１２に透光性フィルム層８を設けて防水構造としている。すなわち、回路基板１０は、両面に透光性フィルム層８をラミネート加工して防水構造としている。この透光性フィルム層８には、ＥＶＡが最適である。ＥＶＡは、優れた光線透過率を有し、熱溶融させて簡単に密着状態に被覆して防水構造にできるからである。ただ、透光性フィルム層には、熱溶着できる他のプラスチックフィルムも使用できる。さらに、透光性フィルム層は、ＥＶＡ層に加えて、他のプラスチック層を積層することもできる。透光性フィルム層は、例えば、ＥＶＡ層の表面にペット（ポリエチレンテレフタレート）製のシート層を積層した多層構造とすることもできる。この構造の透光性フィルム層は、ＥＶＡ層で優れた密着性と防水性を実現しながら、ペット層で表面を保護できる。
【００２４】
回路基板１０の表面をラミネートする透光性フィルム層８は、回路基板１０の全面を被覆する状態でラミネートすることなく、図１２と図１３に示すように、回路基板１０の外周部に沿う露出部１３を設ける状態で表面をラミネート加工している。図に示す回路基板１０は、全体の形状を略長方形の四角形状とする共に、図において上部の両側のコーナー部を斜めにカットしてカット部１４を設けており、このカット部１４を除く外周部に、透光性フィルム層８でラミネートされない露出部１３を設けている。さらに、回路基板１０の両面にラミネートされる透光性フィルム層８は、その一部に、ラミネート工程において熱溶融される透光性フィルム層８が回路基板１０の外周縁まで伸びる逃げ部８Ｘを設けている。図の透光性フィルム層８は、溶融された透光性フィルムの逃げ部８Ｘを、回路基板１０のカット部１４に設けている。第１の表面１１側でカット部１４の外周縁まで伸びる逃げ部８Ｘと、第２の表面１２側でカット部１４の外周縁まで伸びる逃げ部８Ｘは、熱溶融状態で互いに溶着されて、回路基板１０の側縁において一体的に連結される。すなわち、第１の表面１１にラミネートされる透光性フィルム層８Ａと第２の表面１２にラミネートされる透光性フィルム層８Ｂとがカット部１４で連結されて、回路基板１０の両面に密着する透光性フィルム層８を設けることができる。
【００２５】
さらに、この回路基板１０は、外周部に設けられた露出部１３を外装ケース１で挟着して、外装ケース１の定位置に確実に固定できる。それは、両面全体に透光性フィルム層をラミネートしてなる回路基板では、透光性フィルム層の膜厚に誤差があるので、外装ケースで挟着して正確に定位置に固定するのが難しいのに対し、以上の構造の回路基板１０では、透光性フィルム層８でラミネートされない露出部１３を外装ケース１で挟着して、すなわち、回路基板１０の外周部を誤差のない状態で確実に挟着して定位置に固定できるからである。この回路基板１０は、図４と図５に示すように、回路基板１０を貫通する止めネジ２９を介して第１ケース１Ａにねじ込まれて、第１ケース１Ａの定位置に固定される。さらに、この状態で、図６と図７に示すように、第１ケース１Ａと第２ケース１Ｂの外周縁に沿って設けた支持リブ１５で露出部１３が挟着されて、外装ケース１の定位置に保持される。図に示す外装ケース１は、第１ケース１Ａと第２ケース１Ｂの内面であって、回路基板１０の４辺に設けた露出部１３と対向する位置に、互いに対向する支持リブ１５を設けている。第１ケース１Ａと第２ケース１Ｂは、対向する支持リブ１５で回路基板１０の４辺の露出部１３を挟着して、回路基板１０を確実に定位置に保持する。
【００２６】
回路基板は、以下に示す工程で、第１の表面１１と第２の表面１２とに透光性フィルム層８がラミネート加工される。
（１）図１４と図１５の概略断面図に示すように、治具５０に設けた凹部５１の底に、回路基板１０の第２の表面１２をラミネートするＥＶＡフィルム１６を配置する。
（２）治具５０の凹部５１の上に、第２の表面１２を下向きとする姿勢で回路基板１０をセットする。このとき、回路基板１０の外周縁部であって、露出部１３が形成される部分を、図１４に示すように、治具５０の凹部５１の開口縁部に設けた段差部５２の上に配置する。
（３）治具５０にセットされた回路基板１０の上面に、第１のマスキングブロック５３と第２のマスキングブロック５４を配置する。
第１のマスキングブロック５３は、回路基板１０の３辺であって、カット部１４のないコーナー部を含む３辺をマスキングして、これらの部分に露出部１３を形成する。
第２のマスキングブロック５４は、対向するカット部１４を結ぶ線に沿う１辺をマスキングして、この部分に露出部１３を設ける。
この状態で、回路基板１０のカット部１４において、コ字状の第１のマスキングブロック５３の先端と第２のマスキングブロック５４との境界部分に、マスキングされない隙間５５が設けられる。
（４）図１４と図１５の概略断面図に示すように、回路基板１０の第１の表面１１の上に、回路基板１０の第１の表面１１をラミネートするＥＶＡフィルム１６を配置する。
（５）ラミネーター（図示せず）で上下のＥＶＡフィルム１６を加熱・溶融させると共に、溶融されたＥＶＡを真空引きによって回路基板１０の表面に密着させて、回路基板１０の両面に均一な厚さの透光性フィルム層８Ａ、８Ｂを設ける。
（６）さらに、図１６と図１７に示すように、溶融されたＥＶＡの一部を、回路基板１０の外周縁であるカット部１４まで伸ばして逃げ部８Ｘを設ける。さらに、溶融されたＥＶＡを第１のマスキングブロック５３と第２のマスキングブロック５４の隙間５５から流出させて余り部２５とする。
（７）回路基板１０の両面から伸びる逃げ部８Ｘがカット部１４で一体的に連結されて、回路基板１０の両面に形成された透光性フィルム層８Ａ、８Ｂがカット部１４で連結される。
（８）図１２と図１３で示すように、両面がラミネートされた回路基板１０を治具５０から取り出すと共に、図の太線の鎖線で示すように、カット部１４から突出する余り部２５をカットして除去する。
【００２７】
以上の携帯式の照明は、太陽電池２と光源３を一枚の回路基板１０に実装して板状部５を薄くしながら、その両面を透光性フィルム層８で防水構造にラミネートすることで、太陽電池２と光源３の両方を確実な防水構造にできる。このため、外装ケースを完全な防水構造とすることなく、太陽電池２や光源３を理想的な防水構造にできる。
【００２８】
電池収納部６は、板状部５の下縁に沿って設けられており、電池４を収納できるように、板状部５よりも厚く成形している。図６の電池収納部６は、第２ケース１Ｂの下端部を回路基板１０の第２の表面１２側に突出させて電池４を収納するスペースを設けている。電池収納部６は、板状部５を起立させる姿勢で自立できるように、底面をカットして自立面７を設けている。電池収納部６は、自立面７を広くして、板状部５を安定して起立姿勢に保持できる。ただ、自立面を広くすると電池収納部が大きくなって、電池収納部をコンパクトにできなくなる。したがって、電池収納部６の自立面７は、これらのことを考慮して、最適な広さとなるように設けられる。図に示す電池収納部６は、板状部５を安定して起立姿勢に保持するために、自立面７よりも後方に伸びる支持脚２１を両側部に設けている。この電池収納部６は、自立面７を小さくしながら支持脚２１を床面に当接させて板状部５を安定して起立姿勢に保持できる。この照明は、電池収納部６に収納される重い電池４で重心を低くして、板状部５を安定して自立できる。
【００２９】
電池収納部６は、電池４を脱着自在に収納する装着部２２を設けている。図の電池収納部６は、第２の表面１２側に電池４の装着部２２を設けており、この装着部２２を開閉する開閉蓋２３を脱着自在に連結している。電池収納部６の装着部２２は、円筒形電池からなる充電できる電池４を装着している。図４と図５の照明は、電池収納部６の装着部２２に、２本のニッケル水素電池からなる円筒形電池４を直線状に並べて収納している。電池４は、たとえば、満充電容量を２０００ｍＡｈ〜５０００ｍＡｈ、好ましくは３２００ｍＡｈとする２本のニッケル水素電池である。
【００３０】
さらに、図の照明は、電池収納部６の背面側の端部にライトスイッチ４１を設けている。ライトスイッチ４１は押しボタンスイッチで、電池収納部６に収納されると共に、電池収納部６に設けているスイッチ窓２４から露出する部分を押して操作される。
【００３１】
以上の照明は、電池収納部６に電池を収納する状態で、電池収納部６の自立面７を底面とする姿勢で床面に設置して板状部５を自立させる。電池収納部６の自立面７は、図８に示すように、太陽電池２を設けている表面が水平面に対してなす角（α）が直角よりも大きくなり、光源３を設けている面が水平面に対してなす角（β）が直角よりも小さくなるように設けられて、板状部５を自立させる。以上の照明は、自立する板状部５の太陽電池２を上向きに配置して、光源３を下向きに配置するので、太陽電池２の出力を大きくして効率よく電池４を充電し、また、光源３で明るく照射できる特徴がある。
【００３２】
さらに、本発明の照明は、図９に示す姿勢で設置して真上方向から照射される太陽光を効果的に太陽電池２に取り入れて、効率よく発電できる。この照明は、電池収納部６で板状部５を緩やかな傾斜姿勢に保持できるので、長時間にわたって安定し充電できる。とくに、この姿勢で配置される照明は、夏期の正午前後の時間帯や、低緯度地域において、すなわち、太陽の南中高度が９０度近くまで高くなる状態において、効率良く太陽光を受け取って発電できる。
【００３３】
さらに、図５ないし図７に示す照明は、回路基板１０の第２の表面１２に設けた透光性フィルム層８Ｂの表面に、すなわち光源３側の表面に透光板３０を配設している。この透光板３０は、第２ケース１Ｂの開口窓１ｂに沿う形状としている。透光板３０は、光源３の光を透過させる透光性を有するプレートで、例えば、アクリル板等のプラスチックプレートである。
【００３４】
透光板３０は、図１８に示すように、光源３から照射される光を集光して透過させる集光部３１と、光源３から照射される光を散乱して透過させる拡散部３２とを備える。図の透光板３０は、回路基板１０側の面、すなわち透光性フィルム層８との対向面を凹凸面として集光部３１と拡散部３２を設けると共に、反対側の面である外側の表面を平滑面としている。この透光板３０は、外装ケース１から表出する表面を平滑面とするので、表面の汚れを防止しながら、透過光を外部に照射できる。
【００３５】
集光部３１は、回路基板１０に固定された光源と対向する位置に円形の凹部３３を設けると共に、この凹部３３の底面を中央凸となるレンズ状に成形している。この集光部３１は、光源３から照射される光を集光して外部に照射する。とくに、この光源３は、チップタイプのＬＥＤ３Ａとしているので、広い角度で照射される光を集光部３１で集光して、より強い光として外部に照射できる。
【００３６】
拡散部３２は、回路基板１０側の面であって、集光部３１を除くほぼ全面に設けられている。拡散部３２は、表面を凹凸面としており、この凹凸面でもって、チップタイプのＬＥＤ３Ａから広い角度で照射されて、集光部３１で集光されない光を散乱させて、さらに広い範囲に均一に照射する。図１８に示す拡散部３２の凹凸面は、多数の四角錐状の凹部３２ｂを、斜め方向、図においては対角線方向に規則正しく並べた形状としている。この拡散部は、凹凸面から入射する光を凹凸面で種々の方向に屈折させて拡散して、外側の平滑面から均一な光として放射する。とくに、光を集束することなく広い角度で照射するチップタイプのＬＥＤ３Ａから照射される光を拡散部３２に透過させて、より効果的に広い範囲に拡散できる。
【００３７】
以上のように、チップタイプのＬＥＤ３Ａである光源３に対向して配設される透光板３０は、チップタイプのＬＥＤ３Ａから広い範囲に照射される光を、集光部３１で集光して外部に透過させると共に、チップタイプのＬＥＤ３Ａから広い範囲に照射される光を、さらに拡散部３２で種々の方向に拡散して、より広い範囲に均一に照射する。したがって、回路基板１０に複数のチップタイプのＬＥＤ３Ａからなる光源３を配置しながら、光源３の光を中央部では強く、周囲部では広い範囲に均一に拡散して外部に放射できる。
【００３８】
透光板３０は、外側に設けた平滑面側の外形を、第２ケース１Ｂに開口される開口窓１ｂの内側に嵌合できる形状とすると共に、拡散部３２側の外周を外周方向に突出させて鍔部３４を設けている。この鍔部３４は、図６と図７に示すように、第２ケース１Ｂの開口窓１ｂよりも大きい外形としている。この透光板３０は、その外周縁部である鍔部３４に設けた貫通孔３５に、第２ケース１Ｂの開口窓１ｂに沿って設けたガイドロッド２６を挿入して定位置に連結される。
【００３９】
以上の透光板３０は、集光部３１と拡散部３２とを設けているが、透光板は、必ずしも集光部と拡散部を設ける必要はない。透光板は、集光部を設けることなく、すなわち光を集光することなく透過させることも、全面を拡散部として、光をさらに広い範囲に拡散させることもできる。また、透光板は、集光部や拡散部の凹凸面の形状を、上述の形状に特定するものではなく、透過する光を集光する他の全ての形状の集光部とし、また、透過する光を種々の方向に拡散する他の全ての形状の拡散部とすることができる。
【００４０】
図１９は、照明のブロック回路図を示している。この照明は、太陽電池２と、充電できる電池４と、制御回路４０と、光源３とを備えている。制御回路４０には、ライトスイッチ４１を接続している。さらに、図の照明は、制御回路４０に、太陽電池２と、外部入力コネクタ４２と、外部出力コネクタ４３を接続している。
【００４１】
外部入力コネクタ４２と外部出力コネクタ４３は、外装ケース１の底面であって電池収納部６の自立面７に設けた凹部に配設している。電池収納部６に設けた凹部は、外部入力コネクタ４２と外部出力コネクタ４３を使用しない状態では、脱着カバーで閉塞される。外部入力コネクタ４２は、ＡＣアダプタ（図示せず）が接続されて、電池４を充電する電力が供給される。外部出力コネクタ４３は、ＵＳＢケーブルのＵＳＢコネクタが接続されると、電池４の電力を制御回路４０で所定の電圧に変換してＵＳＢコネクタから出力する。
【００４２】
制御回路４０は、太陽電池２で電池４を充電し、電池４の満充電を検出して電池４の充電を終了する。また、外部入力コネクタ４２にＡＣアダプタを接続する状態では、ＡＣアダプタから入力される電力で電池４を充電する。この状態においても、電池４が満充電されると充電を停止する。さらに、制御回路４０は、ライトスイッチ４１が操作されると、電池４から光源に電力を供給して、光源を発光させて外部に光を照射する。さらに、制御回路は電池が放電されて、電池の残容量が設定容量以下となると、光源への電力の供給を停止する。さらにまた、外部出力コネクタ４３にＵＳＢコネクタを介して外部機器が接続される状態では、電池４の電力を所定の電圧に変換して外部出力コネクタ４３から出力する。この状態においても、電池４の残容量が設定容量以下となると、電力の供給を停止する。
【００４３】
さらに、制御回路４０は、押しボタンスイッチのライトスイッチ４１から入力されるオン信号で光源３の点灯状態を変更する。たとえば、ライトスイッチ４１を一回押す毎に、以下のように光源３の点灯を切り換える。
光源３の３個のＬＥＤ３Ａを点灯→光源３の１個のＬＥＤ３Ａを点灯→光源３を消灯する。
【００４４】
さらに、以上の照明は、外装ケース１の上部の両側に位置するコーナー部に挿通孔２７を設けている。この照明は、２つの挿通孔２７に紐（図示せず）の両端を挿通して結束して、この紐の中間部を首や肩にかけて持ち運びでき、あるいは、室内や屋外にかけておくこともできる。
【符号の説明】
【００４５】
１…外装ケース                １Ａ…第１ケース
１ａ…開口窓
１Ｂ…第２ケース
１ｂ…開口窓
１ｃ…幅広部
２…太陽電池
３…光源                      ３Ａ…ＬＥＤ
４…電池
５…板状部
６…電池収納部
７…自立面
８…透光性フィルム層          ８Ａ…透光性フィルム層
８Ｂ…透光性フィルム層
８Ｘ…逃げ部
１０…回路基板
１１…第１の表面
１２…第２の表面
１３…露出部
１４…カット部
１５…支持リブ
１６…ＥＶＡフィルム
１７…周壁
１８…連結筒
１９…連結ロッド
２０…ソーラーセル
２１…支持脚
２２…装着部
２３…開閉蓋
２４…スイッチ窓
２５…余り部
２６…ガイドロッド
２７…挿通孔
２９…止ネジ
３０…透光板
３１…集光部
３２…拡散部
３３…凹部
３４…鍔部
３５…貫通孔
３６…電子部品
４０…制御回路
４１…ライトスイッチ
４２…外部入力コネクタ
４３…外部出力コネクタ
５０…治具
５１…凹部
５２…段差部
５３…第１のマスキングブロック
５４…第２のマスキングブロック
５５…隙間
９１…外装ケース
９２…太陽電池パネル
９３…光源パネル              ９３Ａ…光源
９４…電池
９５…グリップ
【図１】
0005558987.tif 000002
【図２】
0005558987.tif 000003
【図３】
0005558987.tif 000004
【図４】
0005558987.tif 000005
【図５】
0005558987.tif 000006
【図６】
0005558987.tif 000007
【図７】
0005558987.tif 000008
【図８】
0005558987.tif 000009
【図９】
0005558987.tif 000010
【図１０】
0005558987.tif 000011
【図１１】
0005558987.tif 000012
【図１２】
0005558987.tif 000013
【図１３】
0005558987.tif 000014
【図１４】
0005558987.tif 000015
【図１５】
0005558987.tif 000016
【図１６】
0005558987.tif 000017
【図１７】
0005558987.tif 000018
【図１８】
0005558987.tif 000019
【図１９】
0005558987.tif 000020